(57)【要約】【課題】  ＧＰＳを用いなくても簡便に地名情報が得られ、画像等の情報をその地名情報単位に振り分けて記録することのできる情報記録装置及び情報記録方法を提供する。【解決手段】  情報を記録する記録手段（６）と、移動通信網を利用して信号を送受信する通信手段（７）と、前記通信手段で受信した信号から前記移動体通信網の基地局の住所を特定する住所情報を抽出する住所情報抽出手段（４）と、前記住所情報抽出手段が抽出した住所情報から得られる地名をフォルダ名とするフォルダを前記記録手段に生成するフォルダ生成手段（４）と、前記情報を前記フォルダに振り分ける分類手段（４）とを備えた情報記録装置である。【選択図】    図１
2005347800.tif 000002
【特許請求の範囲】
【請求項１】
情報を記録する記録手段と、
移動通信網を利用して信号を送受信する通信手段と、
前記通信手段で受信した信号から前記移動体通信網の基地局の住所を特定する住所情報を抽出する住所情報抽出手段と、
前記住所情報抽出手段が抽出した住所情報から得られる地名をフォルダ名とするフォルダを前記記録手段に生成するフォルダ生成手段と、
前記情報を前記フォルダに振り分ける分類手段と、
を備えたことを特徴とする情報記録装置。
【請求項２】
前記住所情報抽出手段で抽出した住所情報を前記情報に付与する住所情報付与手段をさらに備えたことを特徴とする請求項１に記載の情報記録装置。
【請求項３】
前記フォルダ生成手段がフォルダ名を定める方法を指定するフォルダ名設定手段を更に備えたことを特徴とする請求項１に記載の情報記録装置。
【請求項４】
前記フォルダ名設定手段が指定するフォルダ名を定める方法には、受信した住所情報の部分を切り出し、切り出した前記住所情報の部分をフォルダ名とする手順を含むことを特徴とする請求項３に記載の情報記録装置。
【請求項５】
前記情報は、画像情報又は音声情報であることを特徴とする請求項１に記載の情報記録装置。
【請求項６】
前記情報は、画像情報であり、
画像を撮影する撮影手段と
前記撮影手段で撮影した撮影画像と共に現在受信されている住所情報の少なくとも一部を表示する表示手段と
を備えたことを特徴とする請求項１に記載の情報記録装置。
【請求項７】
前記基地局の受信範囲から他の基地局の受信範囲に移動した場合に、基地局が変わった事を通知する警告手段を、更に有することを特徴とする請求項１に記載の情報記録装置。
【請求項８】
前記警告手段は、新たな基地局の住所情報を使用してフォルダを作成するか、又は今までの基地局の住所情報を使用してフォルダを作成するかの選択を促す表示をする表示手段を、更に有することを特徴とする請求項７に記載の情報記録装置。
【請求項９】
前記住所情報抽出手段は、
前記通信手段が複数の基地局からの信号を受信した場合に、自動で選択された基地局の受信信号から住所情報を抽出する基地局自動選択手段と、
前記通信手段が複数の基地局からの信号を受信した場合に、利用者が選択した基地局の受信信号から住所情報を抽出する基地局手動選択手段と
を備えたことを特徴とする請求項１に記載の情報記録装置。
【請求項１０】
情報を記録手段に記録する記録ステップと、
移動通信網を利用して信号を送受信する通信ステップと、
前記通信ステップで受信した信号から前記移動体通信網の基地局の住所を特定する住所情報を抽出する住所情報抽出ステップと、
前記住所情報抽出ステップで抽出した住所情報から得られる地名をフォルダ名とするフォルダを前記記録手段に生成するフォルダ生成ステップと、
前記情報を前記フォルダに振り分ける分類ステップと
を備えたことを特徴とする情報記録方法。
【発明の詳細な説明】
【技術分野】
【０００１】
本発明は、情報に地名などの住所情報を対応付けて記録する情報記録装置及び情報記録方法に関する。
【背景技術】
【０００２】
撮影した画像等の情報を保存する際に、使用者にわかりやすい撮影住所単位で自動的に振り分けて記録することのできる情報記録装置として、ＧＰＳを用いた技術が知られている（例えば、特許文献１参照）。
【特許文献１】特開２００３−２８３９８５号公報
【発明の開示】
【発明が解決しようとする課題】
【０００３】
しかしながら、特許文献１に記載の技術では、ＧＰＳに関する緯度、経度の情報から地名情報を取得するための膨大なデータベースを必要とする。また、ＧＰＳアンテナなどの専用の受信装置が必要となる。更に、建物内では使用することができないという課題がある。
【０００４】
本発明は、かかる事情に鑑みてなされたものであり、ＧＰＳを用いなくても簡便に地名情報が得られ、画像等の情報をその地名情報単位に振り分けて記録することのできる情報記録装置及び情報記録方法を提供することを目的とする。
【課題を解決するための手段】
【０００５】
上記課題を解決するための、本発明に係る請求項１に記載の情報記録装置は、情報を記録する記録手段と、移動通信網を利用して信号を送受信する通信手段と、前記通信手段で受信した信号から前記移動体通信網の基地局の住所を特定する住所情報を抽出する住所情報抽出手段と、前記住所情報抽出手段が抽出した住所情報から得られる地名をフォルダ名とするフォルダを前記記録手段に生成するフォルダ生成手段と、前記情報を前記フォルダに振り分ける分類手段と、を備えた。
【０００６】
また本発明に係る請求項２に記載の情報記録装置は、上記記載の発明である情報記録装置において、前記住所情報抽出手段で抽出した住所情報を前記情報に付与する住所情報付与手段をさらに備えた。
【０００７】
また本発明に係る請求項３に記載の情報記録装置は、上記記載の発明である情報記録装置において、前記フォルダ生成手段がフォルダ名を定める方法を指定するフォルダ名設定手段を更に備えた。
【０００８】
また本発明に係る請求項４に記載の情報記録装置は、上記記載の発明である情報記録装置において、前記フォルダ名設定手段が指定するフォルダ名を定める方法には、受信した住所情報の部分を切り出し、切り出した前記住所情報の部分をフォルダ名とする手順を含む。
【０００９】
また本発明に係る請求項５に記載の情報記録装置は、上記記載の発明である情報記録装置において、前記情報は、画像情報又は音声情報である。
【００１０】
また本発明に係る請求項６に記載の情報記録装置は、上記記載の発明である情報記録装置において、前記情報は、画像情報であり、画像を撮影する撮影手段と、前記撮影手段で撮影した撮影画像と共に現在受信されている住所情報の少なくとも一部を表示する表示手段とを備えた。
【００１１】
また本発明に係る請求項７に記載の情報記録装置は、上記記載の発明である情報記録装置において、前記基地局の受信範囲から他の基地局の受信範囲に移動した場合に、基地局が変わった事を通知する警告手段を、更に有する。
【００１２】
また本発明に係る請求項８に記載の情報記録装置は、上記記載の発明である情報記録装置において、前記警告手段は、新たな基地局の住所情報を使用してフォルダを作成するか、又は今までの基地局の住所情報を使用してフォルダを作成するかの選択を促す表示をする表示手段を、更に有する。
【００１３】
また本発明に係る請求項９に記載の情報記録装置は、上記記載の発明である情報記録装置において、前記住所情報抽出手段は、前記通信手段が複数の基地局からの信号を受信した場合に、自動で選択された基地局の受信信号から住所情報を抽出する基地局自動選択手段と、前記通信手段が複数の基地局からの信号を受信した場合に、利用者が選択した基地局の受信信号から住所情報を抽出する基地局手動選択手段とを備えた。
【００１４】
また本発明に係る請求項１０に記載の情報記録方法は、情報を記録手段に記録する記録ステップと、移動通信網を利用して信号を送受信する通信ステップと、前記通信ステップで受信した信号から前記移動体通信網の基地局の住所を特定する住所情報を抽出する住所情報抽出ステップと、前記住所情報抽出ステップで抽出した住所情報から得られる地名をフォルダ名とするフォルダを前記記録手段に生成するフォルダ生成ステップと、前記情報を前記フォルダに振り分ける分類ステップとを備えた。
【発明の効果】
【００１５】
本発明によれば、簡便に地名情報が得られ、情報をその地名情報単位に振り分けて記録することができる。
【発明を実施するための最良の形態】
【００１６】
［第１の実施の形態］
本発明に係る情報記録装置は、移動通信網のセルラー基地局が携帯電話との交信に使用する住所情報を取得し、その住所情報に基づいてフォルダを作成して情報を保存する。この機能を実現するための情報記録装置の構成とその主な処理手順を、カメラを実施の形態として説明する。
【００１７】
図１は、第１の実施の形態の情報記録装置１の構成を示す図である。情報記録装置１は、撮像部２、表示部３、制御部４、操作部５、記録部６、通信部７及びメモリ部８で構成されている。
【００１８】
撮像部２は、被写体を撮影して画像処理し画像データを生成する。表示部３は、情報記録装置１のメニュー画面、設定画面などを表示するＬＣＤ等のディスプレイである。制御部４は、情報記録装置１を統括して制御する。操作部５は、情報記録装置１にデータを入力するための十字キーなどの操作手段である。記録部６は、情報記録装置１の動作に必要な種々のデータを記録する。通信部７は、セルラー基地局から情報を受信するためのインターフェースである。メモリ部８は、受信した住所情報を記憶する。
【００１９】
次に、情報記録装置１の動作について説明する。
【００２０】
情報記録装置１を起動したとき等は、表示部３にフォルダの設定・操作のためのメニュー画面が表示される。
【００２１】
図２は、メニュー画面１１を示す図である。メニュー画面１１には、フォルダを生成するモードを指定する「フォルダ設定」メニューと、作成されたフォルダを整理・統合する「フォルダ操作」メニューが表示されている。そして、「フォルダ設定」メニューには、フォルダに名称を付与する方式（モード）を指定する「フォルダモード設定」、ユーザが取得した住所情報の任意の部分をフォルダの名称として設定する「手動設定」、ユーザが任意のタイミングでセルラー基地局から住所情報を取得する「住所情報取得」のメニューが設けられている。また、「フォルダ操作」メニューには、フォルダを統合するためのメニューとして、「都道府県統合」、「市町村統合」、「選択統合」の各メニューが用意され、フォルダを整理するためのメニューとして「画像整理」が用意されている。
【００２２】
ユーザが、メニュー画面１１から「フォルダモード設定」を選択すると、制御部４は、図３に示すフォルダモード設定画面１２を表示すると共に、図４に示すフォルダモード設定処理を実行する。
【００２３】
ユーザが十字キー１３を操作して、フォルダモード設定画面１２の「半自動」、「手動」、「連番」のいずれかのモードを選択してＯＫボタン１４を操作すると、制御部４はステップＳ０１において、選択されたモードを特定する。そして、選択されたフォルダモードが「手動」または「連番」の場合は、ステップＳ０２において、選択されたモードを記録部６に記録して処理を終了する。
【００２４】
選択されたフォルダモードが「半自動」の場合は、図５に示す半自動モード設定画面１５を表示する。半自動モード設定画面１５には「都道府県」、「市町村」、「取得地名全て」の各モードが表示される。ユーザが十字キー１３を操作して、このいずれかのモードを選択してＯＫボタン１４を操作すると、制御部４はステップＳ０３において、選択されたモードを特定する。そして、ステップＳ０２において、選択されたモードを記録部６に記録して処理を終了する。
【００２５】
なお、上述の十字キー１３の操作において、上下キーを操作すると表示されたメニューを選択することができ、左キーを操作すると上位のメニューが表示される。
【００２６】
ユーザが、図２に示すメニュー画面１１から「手動設定」を選択すると、制御部４は、図６に示す手動設定画面１７を表示する。この画面には、セルラー基地局から受信した住所情報が表示されている。ユーザが十字キー１３の左右を操作して、フォルダ名にする最初の文字の位置にカーソルを移動してＯＫボタン１４を押すと、図６の（１）に示すように、その位置が最初の位置として固定される。次にユーザが十字キー１３の左右を操作してフォルダ名にする最後の文字の位置にカーソルを移動してＯＫボタン１４を押すと、図６の（２）に示すように、フォルダ名が確定する。そして、図７に示すフォルダ名決定画面１８が表示される。このフォルダ名決定画面１８には、決定したフォルダ名が表示されている。
【００２７】
ユーザが、図２に示すメニュー画面１１から「住所情報取得」を選択すると、制御部４は、図８に示す住所情報取得処理を実行する。この住所情報取得処理は、情報記録装置１の起動時においては自動的に実行される処理である。
【００２８】
制御部４は、ステップＳ０５〜Ｓ０６において、セルラー基地局から住所情報を受信する。そして、記録部６から設定されているフォルダモードを取り出す。
【００２９】
フォルダモードが「半自動」モードである場合は、ステップＳ０７において、更にその下位のモードを調べて地名の切出しを行う。即ち、「都道府県」モードが選択されている場合は、受信した住所情報から都道府県をフォルダ名として採用する。「市町村」モードが選択されている場合は、受信した住所情報から市町村をフォルダ名として採用する。「取得地名全て」モードが選択されている場合は、受信した住所情報をフォルダ名として採用する。そして、ステップＳ１３において、図７に示すフォルダ名決定画面１８を表示する。このフォルダ名決定画面１８には、採用したフォルダ名が表示されている。
【００３０】
フォルダモードが「手動」モードである場合は、ステップＳ１０において、制御部４は、図６に示す手動設定画面１７を表示する。この画面には、セルラー基地局から受信した住所情報が表示されている。次に、ユーザが十字キー１３の左右を操作して、フォルダ名にする最初の文字の位置にカーソルを移動してＯＫボタン１４を押すと、ステップＳ１１において、図６の（１）に示すように、その位置が最初の位置として固定される。次にユーザが十字キー１３の左右を操作してフォルダ名にする最後の文字の位置にカーソルを移動してＯＫボタン１４を押すと、ステップＳ１２において、図６の（２）に示すように、フォルダ名が確定する。そして、ステップＳ１３において、図７に示すフォルダ名決定画面１８を表示する。このフォルダ名決定画面１８には、決定した住所情報がフォルダ名として表示されている。
【００３１】
フォルダモードが「連番」モードである場合は、制御部４はセルラー基地局から受信した住所情報に関係なく、連番を生成する。そしてステップＳ１３において、図７に示すフォルダ名決定画面１８を表示する。このフォルダ名決定画面１８には、生成した連番がフォルダ名として表示されている。
【００３２】
続いて、ユーザが本情報記録装置１を携行して使用し、撮影等を行っている場合の動作について説明する。
【００３３】
先ず撮影動作について説明する。図９は、撮影処理の概略の手順を示すフロー図である。ユーザが操作部５から撮影開始を指示すると、ステップＳ１５において、制御部４が撮像部２を制御して撮影動作を実行する。ステップＳ１６において、メモリ部８からセルラー基地局から受信した住所情報を取り出し、その住所情報の全てを撮影した画像に付与する。ステップＳ１７〜Ｓ１８において、記憶部６からフォルダモードを取り出し、そのフォルダモードに従ったフォルダ名を付与したフォルダを生成して、そのフォルダに画像を格納する。
【００３４】
次に、情報記録装置１が複数のセルラー基地局の圏内にある場合の動作について説明する。図１０の（１）は、情報記録装置１が単一のセルラー基地局の圏内にある状態を示し、図１０の（２）は、情報記録装置１が複数のセルラー基地局の圏内にある状態を示している。ユーザが情報記録装置１を起動したとき、あるいは再取得動作を指示したときは、予め設定されているフォルダモードに応じてフォルダ名を決定する。
【００３５】
フォルダモードが「半自動」の場合は、上述のようにセルラー基地局から受信した住所情報に基づいてフォルダ名を生成するが、情報記録装置１が複数のセルラー基地局の圏内にある場合は、複数のセルラー基地局からの住所情報を受信する。そこで、受信した電波強度が強いセルラー基地局からの住所情報に基づいてフォルダ名を決定する。もし、電波強度が同程度の場合は、信号受信動作を開始してから最初に受信した住所情報を採用する。そして、図８のステップＳ０７で説明した手順でフォルダ名を決定する。
【００３６】
フォルダモードが「手動」の場合は、図６に示すようにセルラー基地局から受信した住所情報を手動設定画面１７に表示する。そこで、情報記録装置１が複数のセルラー基地局の圏内にある場合は、図１１に示すように複数のセルラー基地局からの住所情報を手動選択画面２０に表示してユーザに選択を促す。ユーザは十字キー１３の上下キーを操作して所望の住所を選択し、ＯＫボタン１４を押すと、その住所情報を表わした手動設定画面１７が表示される。そこで、ユーザは、図６で説明した手順でフォルダ名を決定することができる。
【００３７】
次に、ユーザが情報記録装置１を携行して別のセルラー基地局の圏内に移動したときの動作について説明する。
【００３８】
情報記録装置１は、常にセルラー基地局からの電波を受信してセルラー基地局を識別するＩＤが変化したかどうかを調べる。そして、これまでと異なるＩＤを認識したときは、図１２の（１）に示す住所情報警告画面２１を表示する。
【００３９】
住所情報警告画面２１には、再取得ボタン２１ａ、そのままボタン２１ｂが表示され、地名表示２１ｃが点滅して別のセルラー基地局の範囲に移動したことが明示される。そこで、ユーザが再取得ボタン２１ａを操作すると、上述の、情報記録装置１が複数のセルラー基地局の圏内にある場合の動作を実行する。一方、ユーザがそのままボタン２１ｂを操作すると現在の住所情報の採用を継続する。そして、図７に示すフォルダ名決定画面１８が表示される。
【００４０】
次に、フォルダを統合・整理する方法について説明する。
【００４１】
ユーザが図２に示すメニュー画面１１から「フォルダ操作」→「都道府県統合」を選択すると、制御部４は、図１３に示す都道府県統合処理を実行する。ステップＳ２１〜Ｓ２２において、メモリ部８に記憶されている全ての画像を対象としてその画像に付与されている住所情報を取得し、同じ都道府県毎にフォルダを作成する。なお、既に同一名のフォルダが存在している場合は、そのフォルダを利用する。そして、ステップＳ２３〜Ｓ２４において、画像を対応するフォルダに移動し、空になったフォルダを削除する。
【００４２】
ユーザが図２に示すメニュー画面１１から「フォルダ操作」→「市町村統合」を選択すると、制御部４は、図１４に示す市町村統合処理を実行する。ステップＳ２６〜Ｓ２７において、メモリ部８に記憶されている全ての画像を対象としてその画像に付与されている住所情報を取得し、同じ市町村毎にフォルダを作成する。なお、既に同一名のフォルダが存在している場合は、そのフォルダを利用する。そして、ステップＳ２８〜Ｓ２９において、画像を対応するフォルダに移動し、空になったフォルダを削除する。
【００４３】
ユーザが図２に示すメニュー画面１１から「フォルダ操作」→「選択統合」を選択すると、制御部４は、図１５の（１）に示すフォルダ統合画面２３を表示する。このフォルダ統合画面２３には、情報記録装置１が保有しているフォルダが全て表示されている。そこで、ユーザが上下キーでカーソルを移動して右キーを押すと、そのフォルダが選択される。この操作を繰り返すことで複数のフォルダが選択できる。なお、フォルダが選択されている状態で再度右キーを押すと、その選択を解除することができる。そして、ＯＫボタン１４を押すと統合させたいフォルダの選択が確定する。図１５の（２）に選択が確定した状態のフォルダ統合画面２３を示している。
【００４４】
次にユーザは、統合先のフォルダを指定する。ユーザが上下キーでカーソルを所望のフォルダに移動してＯＫボタン１４を押すと、図１５の（３）に示すように統合先のフォルダが確定した状態のフォルダ統合画面２３が表示されると共に、その統合先のフォルダに選択したフォルダ内の画像の移動が開始される。なお、移動によって空になったフォルダは削除される。
【００４５】
ユーザが図２に示すメニュー画面１１から「フォルダ操作」→「画像整理」を選択すると、制御部４は、図１６の（１）に示す画像整理画面２５を表示する。この画像整理画面２５には、情報記録装置１が保有している画像に付与されている住所情報が全て表示されている。ただし、同じ地名は重複して表示しない。
【００４６】
そこで、ユーザは同じフォルダに格納したい住所情報を選択する。ユーザが上下キーでカーソルを移動して住所情報を選択し右キーを押すと、その住所情報が選択される。この操作を繰り返すことで複数の住所情報が選択できる。なお、住所情報が選択されている状態で再度右キーを押すと、その選択を解除することができる。そして、ＯＫボタン１４を押すと住所情報の選択が確定する。図１６の（２）に選択が確定した状態の画像整理画面２５を示している。
【００４７】
次にユーザは、図１６の（３）に示すように整理先のフォルダ名としたい住所情報を選択する。ユーザが上下キーでカーソルを所望の住所情報に移動してＯＫボタン１４を押すと、その住所情報が確定する。そこで、ユーザは、図６に示す手動設定操作と同様の操作によって整理先のフォルダ名を決定することができる。そして、フォルダ名の決定とともに、そのフォルダに選択された住所情報をもつ画像が移動される。なお、移動によって空になったフォルダは削除される。
【００４８】
なお、上述の実施の形態では、情報記録装置１としてカメラを例に説明したが、この形態に限定されず、一般に情報を記録し管理する機能を備えた装置であれば良い。また、取り扱う情報は画像に限定されず、音声、テキストであっても良い。さらに、画像には静止画のみならず動画も含まれる。
【００４９】
［実施の形態の効果］
以上説明した実施の形態の情報記録装置では、ＧＰＳを使用した装置と異なり、高価な専用の受信装置は必要でなく、通信機能を有すれば良い。また、ＧＰＳを使用した装置と異なり、緯度、経度から地名を取得するための膨大なデータベースが必要でない。従って、装置を安価に構成することができる。
【００５０】
また、ＧＰＳでは建物内では使用できないが、本情報記録装置では電波が受信できれば建物内であっても使用することができる。
【００５１】
なお、上述の実施の形態で説明した各機能は、ハードウエアを用いて構成しても良く、また、ソフトウエアを用いて各機能を記載したプログラムをコンピュータに読み込ませて実現しても良い。また、各機能は、適宜ソフトウエア、ハードウエアのいずれかを選択して構成するものであっても良い。
【００５２】
更に、各機能は図示しない記録媒体に格納したプログラムをコンピュータに読み込ませることで実現させることもできる。ここで本実施の形態における記録媒体は、プログラムを記録でき、かつコンピュータが読み取り可能な記録媒体であれば、その記録形式は何れの形態であってもよい。
【００５３】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００５４】
【図１】第１の実施の形態の情報記録装置の構成を示す図。
【図２】メニュー画面を示す図。
【図３】フォルダモード設定画面を示す図。
【図４】フォルダモード設定処理の概略の手順を示すフロー図。
【図５】半自動モード設定画面を示す図。
【図６】手動モード設定画面を示す図。
【図７】フォルダ名決定画面を示す図。
【図８】住所情報取得処理手順を示すフロー図。
【図９】撮影処理の概略の手順を示すフロー図。
【図１０】情報記録装置とセルラー基地局との交信可能範囲を示す図。
【図１１】手動選択画面を示す図。
【図１２】住所情報警告画面を示す図。
【図１３】都道府県統合処理手順を示すフロー図。
【図１４】市町村統合処理手順を示すフロー図。
【図１５】フォルダ統合画面を示す図。
【図１６】画像整理画面を示す図。
【符号の説明】
【００５５】
１…情報記録装置、２…撮像部、３…表示部、４…制御部、５…操作部、６…記録部、７…通信部、８…メモリ部、１１…メニュー画面、１２…フォルダモード設定画面、１３…十字キー、１４…ＯＫボタン、１５…半自動モード設定画面、１７…手動設定画面、１８…フォルダ名決定画面、２０…手動選択画面、２１…住所情報警告画面、２３…フォルダ統合画面、２５…画像整理画面。
【図１】
2005347800.tif 000003
【図２】
2005347800.tif 000004
【図３】
2005347800.tif 000005
【図４】
2005347800.tif 000006
【図５】
2005347800.tif 000007
【図６】
2005347800.tif 000008
【図７】
2005347800.tif 000009
【図８】
2005347800.tif 000010
【図９】
2005347800.tif 000011
【図１０】
2005347800.tif 000012
【図１１】
2005347800.tif 000013
【図１２】
2005347800.tif 000014
【図１３】
2005347800.tif 000015
【図１４】
2005347800.tif 000016
【図１５】
2005347800.tif 000017
【図１６】
2005347800.tif 000018